(57)【要約】【課題】所望の単語や文節を変換候補の上位に表示する。【解決手段】画像を撮影したときの位置を検出する（Ｓ２）とともに、画像のシーンを解析し（Ｓ６）、記憶されている文字変換候補の中から、表示された画像に対して入力された文字に対応する文字変換候補を抽出し、抽出された文字変換候補のうち、撮影位置と解析された画像のシーンとに関連する文字変換候補の表示優先順位を高く設定する（Ｓ７）。【選択図】図３
2010152608.tif 000002
【特許請求の範囲】
【請求項１】
画像を撮影する撮像手段と、
前記撮像手段により画像を撮影したときの位置を検出する検出手段と、
前記撮像手段により撮影された画像を表示する表示手段と、
前記画像のシーンを解析する解析手段と、
文字を入力する入力手段と、
文字変換候補を記憶する記憶手段と、
前記記憶手段の前記文字変換候補の中から、前記表示手段に表示された画像に対して前記入力手段から入力された文字に対応する文字変換候補を抽出する抽出手段と、
前記抽出手段により抽出された文字変換候補のうち、前記検出手段により検出された撮影位置と前記解析手段により解析されたシーンとに関連する文字変換候補の前記表示手段への表示優先順位を高く設定する設定手段とを備えることを特徴とする撮像装置。
【請求項２】
画像を撮影する撮像手段と、
前記撮像手段により撮影された画像を表示する表示手段と、
前記画像のシーンを解析する解析手段と、
文字を入力する入力手段と、
文字変換候補を記憶する記憶手段と、
前記記憶手段の前記文字変換候補の中から、前記表示手段に表示された画像に対して前記入力手段から入力された文字に対応する文字変換候補を抽出する抽出手段と、
前記抽出手段により抽出された文字変換候補のうち、前記解析手段により解析されたシーンに関連する文字変換候補の前記表示手段への表示優先順位を高く設定する設定手段とを備えることを特徴とする撮像装置。
【請求項３】
文字を入力する入力手段と、
画像とその撮影位置が記録された画像ファイルを入力して前記画像を表示する表示手段と、
文字変換候補を記憶する記憶手段と、
前記記憶手段の前記文字変換候補の中から、前記表示手段に表示された画像に対して前記入力手段から入力された文字に対応する文字変換候補を抽出する抽出手段と、
前記抽出手段により抽出された文字変換候補のうち、前記撮影位置に関連する文字変換候補の前記表示手段への表示優先順位を高く設定する設定手段とを備えることを特徴とする文字入力変換装置。
【請求項４】
請求項３に記載の文字入力変換装置において、
前記画像のシーンを解析する解析手段を備え、
前記設定手段は、前記抽出手段により抽出された文字変換候補のうち、前記撮影位置と前記解析手段により解析されたシーンとに関連する文字変換候補の前記表示手段への表示優先順位を高く設定することを特徴とする文字入力変換装置。
【請求項５】
文字を入力する入力手段と、
画像が記録された画像ファイルを入力して前記画像を表示する表示手段と、
前記画像のシーンを解析する解析手段と、
文字変換候補を記憶する記憶手段と、
前記記憶手段の前記文字変換候補の中から、前記表示手段に表示された画像に対して前記入力手段から入力された文字に対応する文字変換候補を抽出する抽出手段と、
前記抽出手段により抽出された文字変換候補のうち、前記解析手段により解析されたシーンに関連する文字変換候補の前記表示手段への表示優先順位を高く設定する設定手段とを備えることを特徴とする文字入力変換装置。
【発明の詳細な説明】
【技術分野】
【０００１】
本発明は文字入力変換装置と撮像装置に関する。
【背景技術】
【０００２】
文字を入力するときに、一部の文字を入力した時点で現在位置を考慮して変換候補の単語や文節を予測し、これらの変換候補を表示してその中から任意に選択させるようにした文字入力変換装置が知られている（例えば、特許文献１参照）。
【０００３】
この出願の発明に関連する先行技術文献としては次のものがある。
【特許文献１】特開２００４−１５３３９８号公報、
【発明の開示】
【発明が解決しようとする課題】
【０００４】
しかしながら、上述した従来の装置では、撮影ずみの画像に撮影場所と異なる所でコメントなどの文字を付加する場合には、位置情報に基づいて変換候補を予測することができないという問題がある。
【課題を解決するための手段】
【０００５】
（１）  請求項１の発明は、画像を撮影する撮像手段と、撮像手段により画像を撮影したときの位置を検出する検出手段と、撮像手段により撮影された画像を表示する表示手段と、画像のシーンを解析する解析手段と、文字を入力する入力手段と、文字変換候補を記憶する記憶手段と、記憶手段の文字変換候補の中から、表示手段に表示された画像に対して入力手段から入力された文字に対応する文字変換候補を抽出する抽出手段と、抽出手段により抽出された文字変換候補のうち、検出手段により検出された撮影位置と解析手段により解析されたシーンとに関連する文字変換候補の表示手段への表示優先順位を高く設定する設定手段とを備える撮像装置である。
（２）  請求項２の発明は、画像を撮影する撮像手段と、撮像手段により撮影された画像を表示する表示手段と、画像のシーンを解析する解析手段と、文字を入力する入力手段と、文字変換候補を記憶する記憶手段と、記憶手段の文字変換候補の中から、表示手段に表示された画像に対して入力手段から入力された文字に対応する文字変換候補を抽出する抽出手段と、抽出手段により抽出された文字変換候補のうち、解析手段により解析されたシーンに関連する文字変換候補の表示手段への表示優先順位を高く設定する設定手段とを備える撮像装置である。
（３）  請求項３の発明は、文字を入力する入力手段と、画像とその撮影位置が記録された画像ファイルを入力して画像を表示する表示手段と、文字変換候補を記憶する記憶手段と、記憶手段の文字変換候補の中から、表示手段に表示された画像に対して入力手段から入力された文字に対応する文字変換候補を抽出する抽出手段と、抽出手段により抽出された文字変換候補のうち、撮影位置に関連する文字変換候補の表示手段への表示優先順位を高く設定する設定手段とを備える文字入力変換装置である。
（４）  請求項４の発明は、請求項３に記載の文字入力変換装置において、画像のシーンを解析する解析手段を備え、設定手段は、抽出手段により抽出された文字変換候補のうち、撮影位置と解析手段により解析されたシーンとに関連する文字変換候補の表示手段への表示優先順位を高く設定する。
（５）  請求項５の発明は、文字を入力する入力手段と、画像が記録された画像ファイルを入力して画像を表示する表示手段と、画像のシーンを解析する解析手段と、文字変換候補を記憶する記憶手段と、記憶手段の文字変換候補の中から、表示手段に表示された画像に対して入力手段から入力された文字に対応する文字変換候補を抽出する抽出手段と、抽出手段により抽出された文字変換候補のうち、解析手段により解析されたシーンに関連する文字変換候補の表示手段への表示優先順位を高く設定する設定手段とを備える文字入力変換装置である。
【発明の効果】
【０００６】
本発明によれば、撮影場所においてはもちろん、撮影ずみの画像に撮影場所と異なる所でコメントなどの文字を付加する場合でも、所望の単語や文節が変換候補の上位に表示される確率を上げることができる。
【発明を実施するための最良の形態】
【０００７】
図１は一実施の形態のデジタルカメラの構成を示す図である。撮影レンズ１により結像された被写体像は、ＣＣＤなどの撮像素子２により画像信号に変換され、画像処理回路３により種々の処理が施される。ＣＰＵ４はカメラのシーケンス制御、各種演算処理、画像表示処理、画像記録処理などを行うとともに、詳細を後述する文字入力変換処理を行う。ＧＰＳ受信機５は衛星からの信号電波を受信して現在位置を検出する。操作部６はカメラを操作するための各種操作部材であり、文字を入力するための操作部材が含まれる。
【０００８】
モニター７は撮影した画像を表示するとともに、撮影に関する情報や撮影した画像に対する文字情報などを表示する。メモリ８は撮影のための各種データの他に、文字入力変換処理に用いる辞書と文字変換候補データベース、道路地図データなどを記憶している。なお、これらのデータは最新のものに更新可能である。記録媒体１０は画像と種々の情報を記録するためのメモリカードなどであり、インタフェース９を介してこれらの情報が書き込まれる。なお、カメラ内の各種機器および回路はバス１１を介して情報の授受を行う。
【０００９】
図２は記録媒体１０に記録される画像ファイルの構成を示す。撮影された画像は、それぞれ画像ファイルに収納される。画像ファイルは、撮影に関する情報や画像を撮影した位置の情報などを記録したヘッダーと画像データとから構成される。ヘッダーの位置情報には、ＧＰＳ受信機５により検出した撮影場所の緯度と経度が記録されている。
【００１０】
図３は一実施の形態の撮影動作を示すフローチャートである。ステップ１において操作部６によりシャッターレリーズがなされるとステップ２へ進み、撮像素子２により撮影を行うとともに、ＧＰＳ受信機５により現在の撮影位置を検出する。ステップ３で撮影画像に種々の処理を施して画像をモニター７に表示する。
【００１１】
ステップ４において撮影画像のシーン解析を行う。なお、画像のシーン解析については周知であるから説明を省略するが、この解析結果は例えば山や川などの風景、駅や各種競技場などの建物、東京タワーや通天閣などのランドマークなど、どのようなシーンを撮影した画像なのかを出力する。なお、シーン解析の一環として、記録画像のヘッダに書き込まれているシーンモードの情報を参照するようにしてもよい。
【００１２】
ステップ５で操作部６により文字入力操作が行われたか否かを確認し、文字入力操作がなければステップ６へ進み、撮影画像を画像ファイルに記録して記録媒体１０へ書き込む。一方、文字入力操作がなされたときはステップ７へ進み、まず、メモリ８に記憶されている辞書と変換候補データベースの中から入力文字に応じた変換候補を抽出する。次に、抽出した変換候補の中から、撮影位置に関連する変換候補の表示優先順位を高くする。さらに、撮影画像のシーン解析結果に関連した変換候補の優先順位を高くする。そして、撮影位置と画像のシーンに応じて決定した表示優先順位にしたがってモニター７に変換候補を表示する。
【００１３】
図４はモニター７に表示される入力文字の変換候補例を示す。例えば富士山周辺で撮影した画像を例に挙げて具体的に説明すると、使用者が文字「ふ」を入力したときに、辞書と変換候補データベースの中から「ふ」で始まる変換候補を抽出し、過去に入力文字として採用された頻度が高い単語や、文節のつながりが高い単語の表示優先順位を高く設定する。次に、検出した撮影位置から富士山周辺で撮影した画像であると認識し、変換候補の中でも撮影位置に関連のある「富士山」や「富士川」などの表示優先順位を高くする。さらに、撮影画像のシーン解析を行い、山の画像であると認識されると、山に関連のある単語、ここでは「富士山」の表示優先順位を最も高くし、その他の変換候補とともにモニター７に表示する。
【００１４】
ここで、使用者は操作部材６の十字キーを用いて変換候補の中から任意の候補にカーソルを合わせ、選択する。ステップ８において、使用者の選択した変換候補に入力文字を変換し、表示する。ステップ９で使用者の文字入力が終了したか否かを確認し、終了していなければステップ５へ戻り、上述した処理を繰り返す。文字入力が終了した場合はステップ１０へ進み、画像と文字情報を画像ファイルに記録し、記録媒体１０へ書き込む。
【００１５】
この一実施の形態によれば、撮影位置と画像のシーンに応じて変換候補の表示優先順位を設定したので、撮影位置のみにより変換候補の表示優先順位を設定する場合に比べ、使用者が意図する変換候補を優先的に表示できる確率をさらに高くすることができる。また、撮影場所においてはもちろん、撮影ずみの画像に撮影場所と異なる所でコメントなどの文字を付加する場合でも、画像のシーンに応じて変換候補の表示優先順位を設定するので、所望の単語や文節が変換候補の上位に表示される確率を上げることができる。
【００１６】
なお、上述した一実施の形態では、撮影位置と画像のシーンに応じて変換候補の表示優先順位を設定する例を示したが、辞書と変換候補データベースの中から「ふ」で始まる変換候補を抽出し、過去に入力文字として採用された頻度が高い単語や、文節のつながりが高い単語の表示優先順位を高く設定した後に、画像のシーン解析結果のみに応じて表示優先順位を設定し、表示するようにしてもよい。これにより、撮影場所においてはもちろん、撮影ずみの画像に撮影場所と異なる所でコメントなどの文字を付加する場合でも、所望の単語や文節が変換候補の上位に表示される確率を上げることができる。また、この場合はＧＰＳ受信機が装備されていない撮像装置にも適用でき、上記効果が得られる。
【００１７】
《発明の他の一実施の形態》
次に、撮影画像を記録した記録媒体１０をパーソナルコンピューター（以下、ＰＣという）に接続し、画像ファイルをＰＣに取り込んで画像に文字情報を付加する場合の動作を説明する。ここでは、例えば富士山周辺で撮影した画像に文字を入力してコメントを付加する例を示す。
【００１８】
図５はＰＣの文字入力変換処理を示す示すフローチャートである。使用者は、カメラから画像ファイルが記録された記録媒体１０（図１参照）を取り出し、ＰＣ（不図示）に接続するとともに、所定の操作によりこの文字入力変換処理プログラムを実行させる。ステップ１１で記録媒体１０から画像ファイルを取り込み、続くステップ１２でＰＣのディスプレイ（不図示）に画像を表示する。ここで使用者の文字入力があると、ステップ１３で文字を入力する。ステップ１４において、ＰＣ内のメモリ（不図示）に記憶されている辞書と変換候補データベースの中から入力文字に応じた変換候補を抽出し、撮影位置に関連する変換候補の表示優先順位を高くし、優先的にディスプレイに表示する。
【００１９】
使用者が文字「ふ」を入力したときに、辞書と変換候補データベースの中から「ふ」で始まる変換候補を抽出し、過去に入力文字として採用された頻度が高い単語や、文節のつながりが高い単語の表示優先順位を高く設定する。この他の一実施の形態では、さらに、画像ファイルに記録されている撮影位置から富士山周辺で撮影した画像であると認識し、抽出した変換候補の中でも撮影位置に関連のある「富士山」の表示優先順位を最も高く設定し、最上位に表示する。
【００２０】
次に、使用者は表示された変換候補の中から任意の候補にカーソルを合わせ、選択する。ステップ１５において、使用者の選択した変換候補に入力文字を変換し、ディスプレイに表示する。
【００２１】
ステップ１６で使用者の文字入力が終了したか否かを確認し、終了していなければステップ１３へ戻り、上述した処理を繰り返す。文字入力が終了した場合はステップ１７へ進み、入力文字情報を画像ファイルに記録する。ステップ１８ですべての画像に対する文字入力が終了したか否かを確認し、終了していなければステップ１２へ戻って上述した処理を繰り返す。すべての画像に対する文字入力が終了したら処理を終了する。
【００２２】
この他の一実施の形態によれば、撮影ずみの画像に撮影場所と異なる所でコメントなどの文字を付加する場合でも、所望の単語や文節が変換候補の上位に表示される確率を上げることができる。
【００２３】
《発明の他の一実施の形態の変形例》
次に、撮影画像のシーン解析を行い、解析結果のシーンに関連した変換候補の表示優先順位を高くすることよって、使用者が入力したい文字を表示できる確率をさらに上げる方法を説明する。
【００２４】
まず、図５のステップ１２において、取り込んだ画像ファイルの画像をＰＣのディスプレイに表示するとともに、画像のシーン解析を行う。次に、ステップ１４において、ＰＣ内のメモリに記憶されている辞書と変換候補データベースの中から入力文字に応じた変換候補を抽出し、過去に入力文字として採用された頻度が高い単語や、文節のつながりが高い単語の表示優先順位を高く設定する。次に、変換候補の中から撮影位置に関連する変換候補の表示優先順位を高くする。さらに、ステップ１２におけるシーン解析結果のシーンに関連した変換候補の優先順位を高くする。そして、撮影位置と画像のシーンに応じて設定した表示優先順位にしたがってディスプレイに変換候補を表示する。なお、ステップ１２および１４以外の処理については図５に示す処理と同様であり、説明を省略する。
【００２５】
富士山周辺で撮影した画像を例に挙げて具体的に説明すると、使用者が文字「ふ」を入力したときに、辞書と変換候補データベースの中から「ふ」で始まる変換候補を抽出し、過去に入力文字として採用された頻度が高い単語や、文節のつながりが高い単語の表示優先順位を高く設定する。次に、画像ファイルに記録されている撮影位置から富士山周辺で撮影した画像であると認識し、抽出した変換候補の中でも撮影位置に関連のある「富士山」や「富士川」などの表示優先順位を高くする。さらに、撮影画像のシーン解析を行い、山の画像であると認識されると、山に関連した単語「富士山」の表示優先順位の最も高くし、その他の変換候補とともにディスプレイに表示する。
【００２６】
この変形例によれば、撮影位置と画像のシーンに応じて変換候補の表示優先順位を設定するようにしたので、撮影位置のみにより変換候補の表示優先順位を設定する場合に比べ、使用者が意図する変換候補を優先的に表示する確率をさらに高くすることができる。
【００２７】
なお、上述した変形例では、撮影位置と画像のシーンに応じて変換候補の表示優先順位を決定する例を示したが、辞書と変換候補データベースの中から「ふ」で始まる変換候補を抽出し、過去に入力文字として採用された頻度が高い単語や、文節のつながりが高い単語の表示優先順位を高く設定した後、画像のシーン解析結果のみに応じて表示優先順位を設定し、表示するようにしてもよい。これにより、撮影場所においてはもちろん、撮影ずみの画像に撮影場所と異なる所でコメントなどの文字を付加する場合でも、所望の単語や文節が変換候補の上位に表示される確率を上げることができる。また、この場合は画像ファイルに撮影位置が記録されていなくても上記効果が得られる。
【図面の簡単な説明】
【００２８】
【図１】一実施の形態の構成を示す図
【図２】画像ファイルの構造を示す図
【図３】一実施の形態の撮影動作を示すフローチャート
【図４】一実施の形態の変換候補の表示例を示す図
【図５】他の一実施の形態の文字入力処理を示すフローチャート
【符号の説明】
【００２９】
２；撮像素子、４；ＣＰＵ、５；ＧＰＳ受信機、６；操作部、７；モニター、８；メモリ
【図１】
2010152608.tif 000003
【図２】
2010152608.tif 000004
【図３】
2010152608.tif 000005
【図４】
2010152608.tif 000006
【図５】
2010152608.tif 000007